(57)【要約】【課題】外部機器において専用のプログラムを動作させる必要がなく、かつ外部機器と携帯電話機の間で通信手段を介して転送されるデータ量の少ない、外部機器から個人情報データを閲覧、変更等ができる携帯電話機を得ることを目的とするものである。【解決手段】携帯電話機にＨＴＴＰクライアント機能を有する外部機器とのデータ通信を行うデータ通信部、個人情報データを記憶するデータ記憶部、データ記憶部に記憶された個人情報データをＨＴＭＬフォーマットに変換するＨＴＭＬ変換部、ＨＴＴＰサーバ機能を有し、データ通信部に対してＨＴＭＬ変換部でＨＴＭＬフォーマットに変換された個人情報データを外部機器にデータ通信によって提供する制御を行うＨＴＴＰサーバ部を備えるようにしたものである。【選択図】図１
2005244720.tif 000002
【特許請求の範囲】
【請求項１】
ＨＴＴＰクライアント機能を有する外部機器とのデータ通信を行うデータ通信部、個人情報データを記憶するデータ記憶部、上記データ記憶部に記憶された個人情報データをＨＴＭＬフォーマットに変換するＨＴＭＬ変換部、ＨＴＴＰサーバ機能を有し、上記データ通信部に対して上記ＨＴＭＬ変換部でＨＴＭＬフォーマットに変換された個人情報データを上記外部機器にデータ通信によって提供する制御を行うＨＴＴＰサーバ部を備えたことを特徴とする携帯電話機。
【請求項２】
上記ＨＴＴＰサーバ部はＣＧＩ及び上記ＣＧＩによって起動され、上記データ記憶部に記憶された個人情報データを上記外部機器から編集する機能を実現するＣＧＩプログラムを備えたことを特徴とする請求項１に記載の携帯電話機。
【発明の詳細な説明】
【技術分野】
【０００１】
この発明は、携帯電話機に記憶される電話帳データ等の個人情報データを、通信手段を介して外部機器から閲覧、変更等を行う携帯電話機の個人情報データ管理技術に関するものである。
【背景技術】
【０００２】
従来、携帯電話機に記憶される電話帳データ、スケジュール管理データ、電子メールデータ等の個人情報データ（以下、原データ、と記す。）を、通信手段を介してパーソナルコンピュータ等の外部機器から閲覧、変更等を行う場合、原データをパーソナルコンピュータ等の外部機器に転送して、この外部機器に備えられたＨＤ（ハードディスク）等の記録媒体に原データの複製（以下、複製データ、と記す。）として保存し、この保存された複製データを外部機器で動作する専用のプログラム（以下、データ管理プログラム、と記す。）を使用して閲覧、変更等を行っていた。
【０００３】
外部機器から原データの変更を行う場合は、複製データを変更した後、変更後の複製データを通信手段を介して外部機器から携帯電話機に転送し、携帯電話機において、転送された複製データを原データと入れ替えて記憶するようにしていた。例えば、特許文献１では、パーソナルコンピュータから、データ管理プログラムに相当する携帯電話編集プログラムを使用して、通信手段であるケーブル及び携帯電話機のアダプターを介して、電話帳データを携帯電話機に転送して記憶させるとの記載がある。
【０００４】
また、外部機器で電話帳データを閲覧して、そこに登録されている相手先を選択して、その相手先に携帯電話機から電話発信をする場合には、データ管理プログラムを使用して、外部機器から発呼命令と電話番号データを、通信手段を介して携帯電話機に転送し、携帯電話機の呼制御部に発呼動作を行わせている。
【０００５】
従来の携帯電話機においては、通信手段を介して外部機器から原データの閲覧、変更等を行う場合、原データを一旦、外部機器の記録媒体に転送、保存するため、通信手段を介して転送されるデータ量が大量となり、その転送に非常に時間がかかってしまうという問題点があった。また、原データと複製データがそれぞれ独立して存在することになり、一方のデータに変更が加えられた場合に、２つのデータの間に齟齬が生じてしまうという問題点があった。このデータの齟齬を解消するためには、一方のデータが変更された場合には、他方にこの変更されたデータを転送することが必要になることから、データに変更がある度に通信手段を介して大量のデータが転送されるという問題点を生じる。
【０００６】
また、２つのデータにそれぞれ異なる変更が加えられた場合、例えば、携帯電話機を操作して変更された原データを外部機器に転送して複製データを更新すると、この更新の前に複製データに加えられていた変更は消去されてしまい、原データ及び複製データには反映されないことになる。即ち、個人情報データが一元的に管理されていないため、その変更等が確実に反映されない場合が生じるという問題点があった。
【０００７】
更に、原データの閲覧、変更等をするための外部機器は、専用のプログラムを動作させる必要があるため、例えば、外出先にあるパーソナルコンピュータからは原データの閲覧、変更等ができないというように、使用できる外部機器が限定され、利便性が低いという問題点があった。
【０００８】
【特許文献１】特開２００２−９１９７８号公報（第２−３頁、図１）
【発明の開示】
【発明が解決しようとする課題】
【０００９】
この発明は、上記のような問題点を解決するためになされたものであり、外部機器において専用のプログラムを動作させる必要がなく、外部機器と携帯電話機の間で通信手段を介して転送されるデータ量が少なく、かつ個人情報データを一元的に管理できる携帯電話機を提供するものである。
【課題を解決するための手段】
【００１０】
この発明に係る携帯電話機は、ＨＴＴＰクライアント機能を有する外部機器とのデータ通信を行うデータ通信部、個人情報データを記憶するデータ記憶部、データ記憶部に記憶された個人情報データをＨＴＭＬフォーマットに変換するＨＴＭＬ変換部、ＨＴＴＰサーバ機能を有し、データ通信部に対してＨＴＭＬ変換部でＨＴＭＬフォーマットに変換された個人情報データを外部機器にデータ通信によって提供する制御を行うＨＴＴＰサーバ部を備えたものである。
【発明の効果】
【００１１】
この発明によれば、携帯電話機にＨＴＴＰサーバ部を備えて外部機器とデータ通信を行うようにしたので、外部機器において専用のプログラムを動作させる必要がなく、外部機器と携帯電話機の間で通信手段を介して転送されるデータ量が少なく、かつ個人情報データを一元的に管理できる携帯電話機を得ることができる。
【発明を実施するための最良の形態】
【００１２】
実施の形態１．
図１はこの発明の実施の形態１による携帯電話機である携帯電話機を示すブロック図であり、この携帯電話機とデータ通信を行うＨＴＴＰ（Ｈｙｐｅｒ  Ｔｅｘｔ  Ｔｒａｎｓｆｅｒ  Ｐｒｏｔｏｃｏｌ）クライアント機能を有する外部機器も併記している。携帯電話機１０とＨＴＴＰクライアント機能を有する外部機器であるパーソナルコンピュータ１２は、通信媒体１４を介してデータ通信を行う。
【００１３】
ここで、ＨＴＴＰクライアント機能とは、ＨＴＭＬ（Ｈｙｐｅｒ  Ｔｅｘｔ  Ｍａｒｋｕｐ  Ｌａｎｇｕａｇｅ）フォーマットで記載された情報コンテンツを要求に応じて提供するプログラムであるＨＴＴＰサーバが動作しているコンピュータ等の機器との通信を行い、その情報コンテンツを受信、表示等を行う機能を意味する。パーソナルコンピュータ１２には、ＨＴＴＰクライアント機能を実現するプログラムであるＷＥＢブラウザがインストールされ、動作している。なお、ＷＥＢブラウザは、パーソナルコンピュータをインターネットあるいはイントラネットに接続して使用するときに必要となるプログラムであり、ほぼ全てのパーソナルコンピュータにインストールされている汎用的なプログラムである。
【００１４】
通信媒体１４としては、ＲＳ２３２Ｃケーブル、ＵＳＢケーブル、無線、赤外線等が使用できる。携帯電話機１０には、個人情報データを記憶するデータ記憶部２２、個人情報データをＨＴＭＬフォーマットに変換するＨＴＭＬ変換部２４、ＨＴＭＬフォーマットに変換された個人情報データをＨＴＴＰクライアントであるパーソナルコンピュータ１２に提供するＨＴＴＰサーバ機能を有するＨＴＴＰサーバ部２６、パーソナルコンピュータ１２との通信を制御する通信制御部２８及び、通信媒体１４に対応しパーソナルコンピュータ１２との物理的な通信回線を構成するためのインターフェースを提供する外部Ｉ／Ｆ部３０を備えている。通信制御部２８及び外部Ｉ／Ｆ部３０によって、パーソナルコンピュータ１２とのデータ通信を行うデータ通信部３２が構成されている。ここで、個人情報データとしては、電話帳データ、スケジュール管理データ、電子メールデータ等の他に、携帯電話機１０自体の電話番号及び暗証番号を含むものとする。
【００１５】
また、電話の発呼動作は呼制御部３４によって行う。なお、ＨＴＴＰサーバ機能とは、ＨＴＭＬフォーマットで記載された情報コンテンツを要求に応じて提供するプログラムであるＨＴＴＰサーバが動作し、ＨＴＴＰクライアントからの要求に応じてその情報コンテンツの提供等を行う機能を意味する。
【００１６】
ＨＴＴＰサーバ部２６は、ＨＴＴＰクライアントからの特定の要求に応じて、この要求を処理するためのＣＧＩプログラム（以下、外部プログラム、と記す。）を起動するためのプログラムであるＣＧＩ（Ｃｏｍｍｏｎ  Ｇａｔｅｗａｙ  Ｉｎｔｅｒｆａｃｅ）を備えている。
【００１７】
外部プログラムとしては、ＨＴＴＰクライアントであるパーソナルコンピュータ１２からの個人情報データの変更の要求を処理するためのデータ変更プログラム及び電話発信の要求を処理するための発呼プログラムがＨＴＴＰサーバ部２６にインストールされており、パーソナルコンピュータ１２からの要求に応じてＣＧＩによって起動され、それぞれの処理を行うようになっている。
【００１８】
一方、パーソナルコンピュータ１２は、情報をディスプレイ（図示せず）に表示し、またキーボード（図示せず）やマウス（図示せず）等からの入力に応じた処理を行う表示・操作部４０、携帯電話機１０との通信を制御する通信制御部４２及び、通信媒体１４に対応し携帯電話機１０との物理的な通信回線を構成するためのインターフェースを提供する外部Ｉ／Ｆ部４４を備えている。
【００１９】
携帯電話機１０とパーソナルコンピュータ１２とは、外部Ｉ／Ｆ部３０及び４４、通信媒体１４を介して物理的な通信回線を構成する。通信制御部２８及び４２は、この物理的な通信回線を使用し、ＰＰＰ（Ｐｏｉｎｔ  ｔｏ  Ｐｏｎｉｎｔ  Ｐｒｏｔｏｃｏｌ）及びＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｃｏｌ）に従って通信を行う機能を有する。
【００２０】
以下、動作について説明する。通信制御部２８は通信制御部４２に対して、ＰＰＰによる接続手順のネゴシエーションを行い、ＰＰＰ接続を確立する。このとき、パーソナルコンピュータ１２からは電話番号及び暗証番号を入力して携帯電話機１０に送信する。通信制御部２８は、個人情報データとして記憶されている携帯電話機１０自体の電話番号及び暗証番号と送信された電話番号及び暗証番号を比較してユーザ認証を行う。
【００２１】
次に、通信制御部２８は通信制御部４２との間でＴＣＰ／ＩＰの接続を行う。ＴＣＰ／ＩＰの接続が確立すると、パーソナルコンピュータ１２からＨＴＴＰサーバ部２６に対して、個人情報データを表示するための要求（以下、パーソナルコンピュータ１２からＨＴＴＰサーバ部２６に対して送信される要求を、リクエストコマンド、と記す。）を送信できるようになる。このリクエストコマンドを受信したＨＴＴＰサーバ部２６は、個人情報データをＨＴＭＬ変換部２４でＨＴＭＬフォーマットに変換し、パーソナルコンピュータ１２に転送する。パーソナルコンピュータ１２の表示・操作部４０が、このＨＴＭＬフォーマットに変換されて転送された個人情報データをディスプレイに表示することによって、使用者は必要な個人情報データを閲覧することができる。転送される個人情報データは、使用者が閲覧する必要がある部分のデータに限られるため、そのデータ量はごく少ないものとなる。
【００２２】
次に、パーソナルコンピュータ１２を操作して、携帯電話機１０から電話発信する場合及び電話帳データを変更する場合の動作について説明する。個人情報データの中の電話帳データをパーソナルコンピュータ１２のディスプレイに表示するまでは上記の動作と同様である。電話帳データは、図２に示すように、ディスプレイ５０に相手先の氏名、電話番号が登録者リスト５２として表示され、さらに電話発信を要求するための発信ボタン５４、データ変更を要求するための変更ボタン５６が表示される。発信ボタン５４又は変更ボタン５６をディスプレイ上でクリックすると、それぞれ電話発信を要求するリクエストコマンド又はデータ変更を要求するリクエストコマンドがパーソナルコンピュータ１２から送信される。
【００２３】
操作者は、表示されている登録者リスト５２から電話をかけたい相手先を選択し、更に発信ボタン５４をクリックすることにより、パーソナルコンピュータ１２は電話発信を要求するリクエストコマンドを送信する。このリクエストコマンドを受信したＨＴＴＰサーバ部２６はＣＧＩにより発呼プログラムを起動する。発呼プログラムが動作することにより、携帯電話機１０のＨＴＴＰサーバ部２６から呼制御部３２に対して発呼命令と電話番号データが渡され、呼制御部３２は指定された相手先への発呼動作を行う。
【００２４】
また、操作者は、表示されている登録者リスト５２からデータを変更したい相手先を選択し、更に変更ボタン５６をクリックすることにより、パーソナルコンピュータ１２はデータ変更を要求するリクエストコマンドを送信する。このリクエストコマンドを受信したＨＴＴＰサーバ部２６はＣＧＩによりデータ変更プログラムを起動する。データ変更プログラムが動作することにより、パーソナルコンピュータ１２のディスプレイ５０には、図３に示す電話帳データを変更するための変更画面５８が表示される。なお、図３において、図２と同一の符号を付したものは、同一またはこれに相当するものである。
【００２５】
操作者は、この変更画面５８に必要な変更データを入力する。パーソナルコンピュータ１２は、この入力された変更データを携帯電話機１０に送信し、そのデータを受信した携帯電話機１０のＨＴＴＰサーバ部２６は、データ記憶部２２に記憶されている原データの該当部分の変更を行う。
【００２６】
なお、ユーザ認証をＰＰＰ接続を確立するときに行うことを説明したが、最初のリクエストコマンドの受信時や外部プログラム起動時に、個人情報データとして記憶されている携帯電話機１０自体の電話番号及び暗証番号を用いて行うようにしてもよい。
【００２７】
このように構成された携帯電話機においては、個人情報データの閲覧のみならず、個人情報データの変更等の編集、電話帳データを利用した電話発信等が、パーソナルコンピュータにインストールされている汎用的なプログラムであるＷＥＢブラウザを使用することによって行うことができ、専用のプログラムを必要としない。また、ＰＰＰ、ＴＣＰ／ＩＰによる通信を行う機能も、多くのパーソナルコンピュータにほぼ標準的に備えられていることから、例えば、外出先にあるパーソナルコンピュータから携帯電話機に記憶されている個人情報データの閲覧、変更等の編集、電話帳データを利用した電話発信等を行うことができ、携帯電話機の利便性を一層高めることができる。
【００２８】
また、個人情報データを変更する場合、変更した個人情報データのみをＨＴＴＰクライアント機能を有する外部機器から携帯電話機に転送すればよく、転送される個人情報データを少なくすることができる。また、ＨＴＴＰクライアント機能を有する外部機器からの個人情報データの変更は、携帯電話機のデータ記憶部に記憶されている原データを直接変更することになるため、個人情報データは一元的に管理することができ、携帯電話機とＨＴＴＰクライアント機能を有する外部機器とで閲覧あるいは使用できる個人情報データに齟齬が生ずることがない。さらに、携帯電話機自体の電話番号、設定されている暗証番号を用いてユーザ認証するようにすれば、個人情報データのセキュリティを高めることもできる。
【００２９】
上記実施の形態１においては、ＨＴＴＰクライアント機能を有する外部機器としてパーソナルコンピュータについて説明したが、携帯電話機とのデータ通信ができ、ＷＥＢブラウザを備えたカーナビゲーション装置等でも同様の効果を奏する。
【図面の簡単な説明】
【００３０】
【図１】この発明の実施の形態１による携帯電話機を示すブロック図である。
【図２】この発明の実施の形態１による携帯電話機の個人情報データの表示画面である。
【図３】この発明の実施の形態１による携帯電話機の個人情報データの変更画面である。
【符号の説明】
【００３１】
２２  データ記憶部、２４  ＨＴＭＬ変換部、２６  ＨＴＴＰサーバ部、３２  データ通信部。
【図１】
2005244720.tif 000003
【図２】
2005244720.tif 000004
【図３】
2005244720.tif 000005